(57)【要約】【課題】支線用の地中アンカを利用して接地抵抗の低い電柱のアース装置を構成する。【解決手段】電柱の支線用の地中アンカ又は電柱を支持する地中アンカをアース部材とするアース装置において、その地中アンカの周囲に電気抵抗を低減する抵抗低減骨材（コークス）を設ける。【選択図】      図１
2004235131.tif 000002
【特許請求の範囲】
【請求項１】
電柱の支線用の地中アンカ又は電柱を支持する地中アンカをアース部材とするアース装置において、その地中アンカの周囲に電気抵抗を低減する抵抗低減骨材を設けたことを特徴とするアース装置。
【請求項２】
請求項１に記載のアース装置において、抵抗低減骨材は、コークスであることを特徴とするアース装置。
【請求項３】
電柱の支線用の地中アンカをアース部材とするアース装置において、その支線用の地中アンカの他に接地抵抗を低減するための補助地中アンカを設けたことを特徴とするアース装置。
【請求項４】
請求項３に記載のアース装置において、アース部材のアース線は、地中アンカの上部に接続されることを特徴とするアース装置。
【請求項５】
電柱の支線用の地中アンカをアース部材とするアース装置において、その地中アンカに接続される支線又はその地中アンカとその支線との間に接続される支線棒の地中における所定の途中の箇所に、電気絶縁を図るための絶縁物を介在させたことを特徴とするアース装置。
【請求項６】
請求項５に記載のアース装置において、絶縁物は、玉ガイシであることを特徴とするアース装置。
【発明の詳細な説明】
【０００１】
【発明の属する技術分野】
本発明は、電柱のアース装置に係り、特に、螺旋状の掘削刃を有する地中アンカをアース部材として用いるものに関する。
【０００２】
【従来の技術】
本出願人は、先に、配電線や電話線等の電柱の支線を支持するのに好適な地中アンカを提案している（特許文献１〜３参照。）。この先の提案に係る地中アンカは、地中に埋設される鋳鉄製の軸棒の先端側に間欠的に螺旋状の掘削刃を一体的に設けて構成されている。
【０００３】
また、本出願人は、特願２００２−１４６０３４号において、電柱を容易に立設することのできる地中アンカを提案している。この地中アンカは、電柱の立設される地面に所定深さの穴を掘り、その穴の底部に上述の先の提案に係る地中アンカと同様の地中アンカを埋設し、その地中アンカの上部に筒状体を載置するとともに、その筒状体に電柱を挿入して電柱を立設するようにしている。
【０００４】
上記先の提案に係る地中アンカは、電柱の設置される地盤の性質に合わせてその大きさが選定され、また埋設深さが決められて、支線が所定の耐張力を得られるように、あるいは電柱を安定して支持できるようにしている。このため、本出願人は、使用する地中アンカの種類や埋設深さを決定するための資料を得るために、特願２０００−２３８７６号において、地盤の軟硬の程度を表わす指標であるＮ値を簡単に測定できる、全体形状が棒状を呈しているＮ値測定工具を提案している。なお、このＮ値は、ＪＩＳＡ１２１９に示されるように、外径５．１ｃｍ、内径３．５ｃｍ、長さ８１．０ｃｍの中空の測定具（サンプラー）を地中へ打ち込む際に生ずる地盤の抵抗から求められるもので、上述の測定具を質量６３．５ｋｇ（約６２２．３Ｎ）のハンマーを７５ｃｍの高さから自由落下させ、その測定具が３０ｃｍ打ち込むのに必要な打撃数Ｎから求められるものである。
【０００５】
ところで、配電線や電話線の電柱の中には、接地工事を必要とするものがあり、このような電柱には、電柱の近傍に電極棒を埋設して所定の接地抵抗値となるようなアース装置が設けられる。また、１本の電極棒だけでは所定の接地抵抗値が得られないときは、所定の接地抵抗値を満たすように複数本の電極棒が所定の間隔を保って埋設されることもある。このようなアース装置を必要とする電柱には、補強用の支線が設けられることが多く、したがって、このような電柱に対しては、支線装置の作業のほかに接地装置の作業が必要となるだけでなく、電柱の周囲に支線とアース線とが設けられ、電柱の囲りが煩雑になる欠点があった。そこで、本出願人は、このような欠点を解決するためにアース部材を地中アンカと兼用することのできるアース装置を提供するとともに、そのアース装置の施工方法を別途提案している。
【０００６】
【特許文献１】特開２０００−１８５０号公報
【特許文献２】特開２００１−５９２２１号公報
【特許文献３】特開２００１−１８２０５８号公報
【０００７】
【発明が解決しようとする課題】
しかしながら、地中アンカをアース装置のアース部材とする場合であっても、地中アンカの埋設される地中（地盤）の性状によっては、目的とする接地抵抗が得られず、地中アンカとしての強度が十分であるにもかかわらず、接地抵抗のために、より埋設深さを深くしなければならないことが起り得ることが分っている。
【０００８】
また、地中アンカをアース装置の電極とした場合であっても、地中アンカの支線棒又はその支線棒に接続される支線のうち、地面の地表から所定深さまでは、電気的な絶縁を図らなければならないが、支線棒等を絶縁被覆や絶縁コーティングで絶縁を図っても、経年変化等により半永久的な絶縁とすることは不可能である。したがって、地中アンカをアース装置の電極と兼用したときの支線や支線棒の絶縁を簡単に、かつ、半永久的に絶縁できるようにすることが望まれていた。
【０００９】
そこで、本発明は、地中アンカとしての強度が十分な深さにおいて、十分な接地抵抗の得られるアース装置を提供することを目的としているとともに、地中アンカに接続される支線や支線棒の絶縁を半永久的となるようにすることのできるアース装置を提供することを目的としている。
【００１０】
【課題を解決するための手段】
本発明に係るアース装置は、上記目的を達成するために、請求項１に記載の発明は、電柱の支線用の地中アンカ又は電柱を支持する地中アンカをアース部材とするアース装置において、その地中アンカの周囲に電気抵抗を低減する抵抗低減骨材を設けたことを特徴としている。
本発明の請求項２に記載のアース装置は、抵抗低減骨材は、コークスであることを特徴としている。
本発明に係るアース装置は、上記目的を達成するために、請求項３に記載の発明は、電柱の支線用の地中アンカをアース部材とするアース装置において、その支線用の地中アンカの他に接地抵抗を低減するための補助地中アンカを設けたことを特徴としている。
本発明の請求項４に記載のアース装置は、アース部材のアース線は、地中アンカの上部に接続されることを特徴としている。
本発明に係るアース装置は、上記目的を達成するために、請求項５に記載の発明は、電柱の支線用の地中アンカをアース部材とするアース装置において、その地中アンカに接続される支線又はその地中アンカとその支線との間に接続される支線棒の地中における所定の途中の箇所に、電気絶縁を図るための絶縁物を介在させたことを特徴としている。
本発明の請求項６に記載のアース装置は、絶縁物は、玉ガイシであることを特徴としている。
【００１１】
【発明の実施の形態】
以下、本発明の実施の形態を図面に基づいて説明する。図１は、一実施の形態に係るアース装置の概略構成図である。図１中、イは、地中（地盤と同意義で用いられている。したがって、地盤をＧとして説明するときもある。）Ｇに立設された電柱であり、この電柱イには、地中Ｇに埋設されている地中アンカＡ１  、その地中アンカＡ１  の上端部に接続されている支線棒ロ及びその支線棒ロの先端と電柱イの上端側とを接続する支線ハにより補強されている。
【００１２】
地中アンカＡ１  については、本出願人が特開２０００−１８５０号公報、同２００１−５９２２１号公報、同２００１−１８２０５８号公報等において提案しているものである。この地中アンカＡ１  は、鋳鉄製からなり、棒状の軸棒ａ１  に所定の間隔を保って複数（図示の例では４個）の螺旋状の掘削刃ａ２  ，ａ２  …を一体的に有しているので、電柱イを立設するときに用いられる穴掘建柱車の回転部を用いて地中Ｇの任意の深さに簡単に埋設できる特長がある。なお、掘削刃ａ２  ，ａ２  …は、先端（図１において下端）ほどその径が小さくなるように形成されている。
【００１３】
この地中アンカＡ１  は、地中Ｇに設けられている本発明の抵抗低減骨材としての塊状のコークスＣ中に埋設されている。このコークスＣはそのまま用いることができる他、例えば、石灰、酸化アルミナ及び石膏等からなる添加材を含浸させたものを用いることができる。
【００１４】
この地中アンカＡ１  を地中Ｇの所定深さに埋設するには、地中アンカＡ１  の頂部に図示しない工具（嵌入パイプ）（この工具については、本出願人に係る特開２００１−２７１３４５号公報に詳述されている。）をその頂部に設けられている角柱部ａ３  に嵌め、その工具を図示しない穴掘建柱車の回転部で回転させて地中アンカＡ１  の埋設深さの穴が掘られる。そして、その掘られた穴に所定量（少なくとも埋設される地中アンカＡ１  を覆うことのできる量）のコークスＣが挿入される。次いで、地中アンカＡ１  の頂部に支線棒ロを取付けるとともに、その支線棒ロを工具（嵌入パイプ）の内部に収納しながら地中アンカＡ１  の頂部に一体的に設けられている角柱部ａ３  に嵌め、その工具を図示しない穴掘建柱車の回転部で回転させて行われる。回転部で地中アンカＡ１  が回転させられると、コークスＣの一部が地中アンカＡ１  の周囲の地中Ｇ内に圧入され、地中アンカＡ１  を包む大きな塊となる。そして、地中アンカＡ１  が地中Ｇの所定深さに埋設された後、工具が外されると、図１に示されるように、地上には支線棒ロの先端部が現れる。次いで、その支線棒ロの先端に設けられているリング部ロ′（図１参照）に図示しないシンブルを介して支線ハが取付けられる。
【００１５】
上記支線棒ロは、電気絶縁性の合成樹脂膜が被覆されていて絶縁が施されている。なお、この支線棒ロの絶縁は、支線棒ロの囲りを絶縁カバーで覆って構成してもよい。
【００１６】
図１中、Ｌは、電柱イに設けられるアース装置のアース線であり、その一端側は、後述する図２に詳しく示されているように、地中アンカＡ１  の上端部に接続され、その他端側は、電柱イの上端部の図示しない所定の部材、例えば、変圧器の架台等に取付けられている。
【００１７】
アース線Ｌは、地中Ｇ側においてはその地中Ｇ中に埋設され、また、電柱イ側においては少なくともその電柱イの地面の位置から所定高さまでは電柱イの軸心に設けられている空間（図示せず）内に設けられる。なお、アース線Ｌは、電柱イ側において電柱イの軸心に設けられた空間内に配設されないとき、そのアース線Ｌは、電柱イの側面にバンド部材を介して設けられる。
【００１８】
図２を用いてアース線Ｌの地中アンカＡ１  への取付けについて説明する。このアース線Ｌの地中アンカＡ１  への取付けは、地中アンカＡ１  の上端部に設けられている支線棒ロを取付けるためのアイ部Ａ′を中間にして一対のアルミニウム（アルミニウム合金を含む。）製の端子１０ａ，１０ｂを用いて行われる。これら端子１０ａ，１０ｂのうちの一方の端子１０ａには、ビス１１の螺合されるねじ孔１０ａ′を有し、他方の端子１０ｂには、ビス１１の軸部（ねじ部）が貫通することのできる孔１０ｂ′を有している。そして、これら端子１０ａ，１０ｂをビス１１で固定する際に、アース線Ｌの端部に設けられているリング部Ｌ′をビス１１に挿入して行われる。これにより、アース線Ｌが地中アンカＡ１  に取付けられる。
【００１９】
上述のように、アース線Ｌがアルミニウム製の端子１０ａ，１０ｂを介して地中アンカＡ１  に取付けられると、これら端子１０ａ，１０ｂは、鋳鉄製の地中アンカＡ１  よりも卑な金属であるので、地中アンカＡ１  の腐食を効果的に防止できる特長がある。
【００２０】
上述のように、地中アンカＡ１  をアース装置のアース部材とするとき、そのアース部材（地中アンカＡ１  ）は、電柱イを補強するために十分な強度（耐張力）を有することが必要なだけでなく、そのアース部材が所定の接地抵抗値を有している必要がある。そこで、本発明では、地中アンカの選定を行うための地盤のＮ値測定と同時に、その地盤の接地抵抗値の測定が行われる。
【００２１】
図３は、Ｎ値測定及び地中アンカの接地抵抗値（Ω）の測定を行う測定方法を示す説明図である。このＮ値測定は、本出願人が先に提案している特願２０００−２３８７６号において詳述されているが、このＮ値測定では、全体形状が所定の太さ（例えば５０φ）の鋼製の丸棒からなるＮ値測定工具本体（以下、「測定工具」という。）を用いて行われる。すなわち、このＮ値測定は、測定工具２０を所定の押圧力を付加しながら回転させて所定の深さ（例えば５０ｃｍ）、地中（地盤）Ｇに挿入されるまでに何回転したかによりＮ値が測定されるとともに、所定の深さ毎の接地抵抗が測定される。この測定は、測定工具２０とその測定工具２０から十分に離れて予め十分な深さに挿入されている２本の補助電極棒２１ａ，２１ｂとの間にリード線２２，２２，２２を配線し、そのリード線２２，２２，２２に接続された抵抗計２３を介して接地抵抗値（Ω）が測定される。
【００２２】
図４は、本出願人の豊川事業所の敷地内のＮ値５〜１０と予想される普通地盤で上述の測定工具２０を用いてＮ値の測定及び接地抵抗の測定を行ったときのグラフである。また、この図４のグラフには、Ｎ値測定により選定された地中アンカ（上部に位置する最も大きな螺旋状の掘削刃の直径が３５０φ）の地中アンカの接地抵抗値と、その地中アンカの周囲に抵抗低減骨材としてコークスを設けたときの接地抵抗値も示されている。
【００２３】
この図４から明らかなように、Ｎ値は、地表から所定深さまでＮ値が高く（図４の例では、深さ１００ｃｍでＮ値は約１０。）、それよりも深いところではＮ値が低く（図４の例では、Ｎ値は約５。）なり、普通地盤の特徴がよく表われている。
【００２４】
この図４に示される測定地盤の測定工具２０を用いた接地抵抗は、深さ１５０ｃｍよりも深いところでは７０Ω前後となり、したがって、地中アンカをその深さ以上埋設すれば、１００Ω以下の接地抵抗を確保できるアース装置とすることを表わしている。なお、図４のグラフから明らかなように、Ｎ値測定の測定工具２０の接地抵抗の軌跡と地中アンカの接地抵抗の軌跡とがほぼ一致しているので、測定工具２０により、アース部材を兼ねる地中アンカの接地抵抗を予測できることを表わしている。また、地中アンカの周囲にコークスを設けるようにしたときは、地中アンカの埋設深さに関係なく、５０Ω前後の良好な接地抵抗が得られることが分る。
【００２５】
なお、上述のようにして測定されたＮ値及び接地抵抗を示す地盤の性状から、地中アンカの種類を選定するとともに、その選定された地中アンカの埋設深さを決定することができる。上述の測定結果から選定された地中アンカ（上部の最も大径の螺旋状掘削刃の直径が３５０φ）を深さ３００ｃｍ埋設したときのその地中アンカの張力は、７０．７ｋＮで、電柱の支線の張力（耐張力）としては十分なものであった。
【００２６】
また、上述の図４から明らかなように、地中アンカの周囲に抵抗低減骨材としてコークスを設けたときは、Ｎ値測定から選定された地中アンカが所定の張力を得る深さに埋設されるだけで、必要な接地抵抗が得られ、接地抵抗の面から地中アンカの埋設深さを決定するという面倒な選択が不要とすることができる。
【００２７】
図５は、本発明の他の実施の形態に係る柱状物構造の一部を断面で示した正面図である。図５中、イは、上記図１に示されると同様のコンクリート製の電柱であって、所定の長さ（高さ）を有し、その下部を地中Ｇに没して立設されている。
【００２８】
図中、Ａ２  は地中アンカであって、上記地中アンカＡ１  と同様の鋳鉄製からなり、先細りの軸棒ａ１  ′の周囲に螺旋状の掘削刃ａ２  ′，ａ２  ′…が所定の間隔を保って複数個（図示の例では３個）設けられている。これら掘削刃ａ２  ′，ａ２  ′…のうち、最も大きな掘削刃ａ２  ′の直径は、電柱イの直径よりも少し大きく決められている。そして、その軸棒ａ１  ′の上端側（先細りと反対側）には、電柱イの太さよりも少し大きいフランジＡ２  ′が設けられているとともに、そのフランジＡ２  ′の上側中央部には、地中アンカＡ２  を地中Ｇに埋設するときの工具（穴堀建柱車の回転部）に接続するための角柱部Ａ２  ″が設けられている。なお、このフランジＡ２  ′は、最上部の掘削刃ａ２  ′と兼ねることもでき、この場合は、後述する筒状体の下部形状が掘削刃の螺旋形状に合わされたものとなる。
【００２９】
上記地中アンカＡ２  の先細りの先端部には、硬質の地盤Ｇにも対処できるように、超硬金属からなるドリル部を設けることもでき、また、掘削刃ａ２  ′の外周を尖鋭に形成するようにしてもよい。また、軸棒ａ１  ′の長さ及び掘削刃ａ２  ′の個数は、地盤Ｇの性状によって適宜決めることができる。
【００３０】
図中、３０は、鋼製の上部開口，下部有底の筒状体であって、その筒状体３０の内部の空間形状は、電柱イの下部が挿入できる大きさに形成されている。そして、この筒状体３０の長さ（長手方向の長さ）は、電柱イを地中Ｇに埋設する深さに相当するように構成されていて、通常、２ｍの長さに形成されている。この筒状体３０の底には、地中アンカＡ２  の角柱部Ａ２  ″が貫通する孔３１が設けられている。なお、地中アンカＡ２  のフランジＡ２  ′が省略されるときは、筒状体３０の下端部が最上部の掘削刃ａ２  ′に載置されるので、筒状体３０の底は省略される。
【００３１】
図５中、Ｌは、電柱イに設けられるアース装置のアース線であり、その一端側は、地中アンカＡ２  の上端部に接続され、その他端側は、電柱イの上端部の図示しない所定の部材、例えば、変圧器の架台等に取付けられている。
【００３２】
アース線Ｌは、地中Ｇから所定高さまでは、電柱イの軸心に設けられている空間イ′内に設けられる。なお、アース線Ｌは、電柱イ側において電柱イの軸心に設けられた空間イ′内に配設されないとき、そのアース線Ｌは、電柱イの側面にバンド部材を介して設けられる。
【００３３】
アース線Ｌの地中アンカＡ２  への取付けは、上記図２の同様のアルミニウム製の端子（図示せず）を介して行われる。すなわち、アース線Ｌは、地中アンカＡ２  の上部の角柱部Ａ２  ″に設けられている貫通孔３２に上述の端子及びビス（図２のビス１１参照）を用いて取付けられる。このように、アース線Ｌがアルミニウム製の端子を介して地中アンカＡ２  に取付けられると、これら端子は、鋳鉄製の地中アンカＡ２  及び鋼製の筒状体３０よりも卑な金属であるので、地中アンカＡ２  及び筒状体３０の腐食を効果的に防止できる特長がある。
【００３４】
図５において、Ｃは上記図１と同様の抵抗低減骨材としてのコークスであり、このコークスＣは、地中アンカＡ２  が埋設される前に地中アンカＡ２  で掘られた下穴（前穴）内に挿入される。その後、地中アンカＡ２  及び筒状体３０が埋設される。
【００３５】
地中アンカＡ２  及び筒状体３０の地中Ｇへの埋設については、先に提案している特願２００２−１４６０３４号に詳述されているので、その詳しい説明は省略するが、穴堀建柱車の回転部及び上記図１の地中アンカＡ１  の埋設時に使用した工具（嵌入パイプ）を用いて地中アンカＡ２  により地中Ｇに下穴が掘られた後、その下穴にコークスＣが挿入される。次いで、地中アンカＡ２  及び筒状体３０が上記回転部及び工具を用いて埋設される。地中アンカＡ２  の角柱部Ａ２  ″から工具を外し、その角柱部Ａ２  ″の貫通孔３２にアース線Ｌが取付けられるとともに、筒状体３０に電柱イが挿入される。筒状体３０に電柱イを挿入するに当っては、必要に応じてその電柱イの挿入される部分が電気絶縁テープ等の絶縁材で覆われる。
【００３６】
上述の地中アンカＡ２  及び筒状体３０を用いて電柱イを立設する場合も、地中アンカＡ２  の周囲にコークスＣが設けられているので、良好な接地抵抗を有するアース装置を容易に得ることができるとともに、地盤の性状に関係なく安定して電柱イを立設でき、電柱の取替えが容易になるなどの特長を得ることができる。
【００３７】
図６は、本発明の他の実施の形態を示すもので、１個の地中アンカＡ１  では十分な接地抵抗値が得られない場合、あるいは、より安定した接地抵抗値が要求される場合のアース装置を示している。このアース装置は、アース部材を兼ねる支線イ用の本来の地中アンカＡ１  の他に接地抵抗用のみの補助地中アンカＡ３  を有することを特徴としている。
【００３８】
この補助地中アンカＡ３  は、上記地中アンカＡ１  と同様に構成され、鋳鉄製からなり、棒状の軸棒ａ１  に所定の間隔を保って複数個（図示の例では４個）の螺旋状の掘削刃ａ２  ，ａ２  …を一体的に有している。すなわち、この補助地中アンカＡ３  は、図７に示されるように、上記地中アンカＡ１  の角柱部ａ３  から支線棒ロを取付けるための取付部を取外し、その角柱部ａ３  の上端部にねじ穴ａ４  を設けた形状を呈している。
【００３９】
図７中、４０は、ねじ穴４ａにねじ込むことのできるねじ部材であって、アルミニウム（アルミニウム合金を含む。）製からなり、その上端部にアース線Ｌが接続されている。このねじ部材４０は、ねじ穴ａ４  内に完全に位置することができる大きさに構成されている。このねじ部材４０は、アルミニウム製からなるので、鋳鉄製の補助地中アンカＡ３  よりも卑な金属なので、補助地中アンカＡ３  の腐食を効果的に防止することができる。
【００４０】
図７中、４１は、パイプ材であり、Ｍは、穴掘建柱車の回転部に取付けられる工具（嵌入パイプ）（この工具については、本出願人に係る特開２００１−２７１３４５号公報に詳述されている。）であり、これらは、補助地中アンカＡ３  を地中Ｇに埋設するときに用いられる。パイプ材４１は、上記支線棒ロをパイプ状にしたもので、そのパイプ材４１の下部には、ねじ穴ａ４  にねじ込まれるねじ部４１ａが形成されている。
【００４１】
上記補助地中アンカＡ３  を地中Ｇに埋設するには、先ず、アース線Ｌの接続されているねじ部材４０をねじ穴ａ４  にねじ込み、さらに、そのねじ穴ａ４  にアース線Ｌをパイプ内に通した形でパイプ材４１がねじ込まれる。そして、補助地中アンカＡ３  を本来の地中アンカＡ１  から所定距離離れた所定位置に立て、工具Ｍの中にパイプ材４１を入れながらその工具Ｍの下端部に設けられている角穴Ｍ′を角柱部ａ３  に嵌め、その工具Ｍが図示しない穴掘建柱車の回転部で回転させられる。これにより、補助地中アンカＡ３  は、地中Ｇ内にねじ込まれる形で埋設される。
【００４２】
補助地中アンカＡ３  が地中Ｇの所定深さまで埋設されたら、工具Ｍが引き上げられる。工具Ｍが引き上げられると、パイプ材４１の上部が地上に位置しているので（パイプ材４１の長さは、予めこのような長さに決められている。）、そのパイプ材４１をねじ穴ａ４  から外し、パイプ材４１から現れたアース線Ｌが本来の地中アンカＡ１  に接続されているアース線Ｌに接続される（図６参照）。
【００４３】
なお、図７の例では、本来の地中アンカＡ１  の囲りにコークスが設けられていないが、上記図１と同様にコークスを設けてもよく、また、補助地中アンカＡ３  の囲りにもコークスを設けて、より接地抵抗値を低減させるようにしてもよい。さらに、図７の例では、補助地中アンカＡ３  は、１本としたが、必要に応じて２本以上とされる。
【００４４】
次に、本発明のさらに他の実施の形態を図８〜図１０に基づいて説明する。図８は、地中Ｇに埋設された状態のアース部材を兼ねた地中アンカＡ４  の正面図で、上記図１及び図６に示された地中アンカＡ１  と同一のものである。なお、ここでは、図面を簡略化するために、地中アンカＡ４  は、垂直に地中Ｇに埋設されている状態で示されている。すなわち、この地中アンカ本体Ａ４  は、本出願人が特開２０００−１８５０号公報、同２００１−５９２２１号公報、同２００１−１８２０５８号公報等において提案しているものである。この地中アンカＡ４  は、鋳鉄製からなり、棒状の軸棒ａ１  に所定の間隔を保って複数（図示の例では４個）の螺旋状の掘削刃ａ２  ，ａ２  …を一体的に有しているので、電柱を立設するときに用いられる周知の穴掘建柱車の回転部を用いて地中Ｇの任意の深さに簡単に埋設できる特長がある。なお、掘削刃ａ２  ，ａ２  …は、先端（図８において下端）ほどその径が小さくなるように形成されている。
【００４５】
この地中アンカＡ４  の周囲には、必要に応じて接地抵抗を低減させるためのコークスＣ等からなる抵抗低減骨材が設けられる。この抵抗低減骨材としては、コークス以外の他の周知のものを用いることができるが、コークスが用いられるときは、そのコークスに周知の抵抗低減剤を含浸させることもできる。このコークスＣは、地中アンカＡ４  を埋設する前に掘られた下穴に挿入され、その挿入後、地中アンカＡ４  を埋設することにより地中アンカＡ４  の周囲に均一に配設される。なお、この下穴は、地中アンカＡ４  により簡単に掘ることができる。
【００４６】
図８中、５０は、所定の長さを有する支線棒であって、地中アンカＡ４  の上部に設けられた角柱部ａ３  の上端に設けられているアイ部ａ４  に接続されている。また、５１は、支線であって、その上端部は、地中Ｇに立設されている図示しない電柱に接続されている。そして、この支線棒５０の上端部と支線５１の下部との間は、本発明の電気絶縁を図るための絶縁物に相当する玉ガイシ５２を介して接続されているとともに、この玉ガイシ５２は、少なくとも地中Ｇ内に位置するように構成されている。
【００４７】
図９は、玉ガイシ５２部分の詳細図であり、この玉ガイシ５２は、周知の玉ガイシと同様に、その周面に十字状に交差する２本の凹条溝５２ａ，５２ｂが設けられている。そして、一方の凹条溝５２ａには、支線棒５０の上端部のアイ部５０ａに連結されている第１のリング部材５３ａが係止され、他方の凹条溝５２ｂには、支線５１の下端に接続されている第２のリング部材５３ｂが係止されている。なお、第２のリング部材５３ｂは、支線５１の下端部を凹条溝５２ｂに直接係止させるようにしてもよい。また、第１のリング部材５３ａはＵ字型金具の開口部にボルトナットを備えたもの、一部分にボルトナットを備えたチェーン連結金具等の２つのリング部材を接続するための各種金具を適宜採用することができる。
【００４８】
図８中、Ｌは、アース線である。このアース線Ｌは、上記図２に示されるように、地中Ｇ側においては地中Ｇ内に埋設され、また、図示しない電柱側においては少なくともその電柱の地面から所定高さまでは電柱の軸心に設けられている空間（図示せず）内に設けられる。なお、アース線Ｌは、電柱側において電柱の軸心に設けられた空間内に配設されないとき、そのアース線Ｌは、電柱の側面にバンド部材を介して設けられる。アース線Ｌの図示しない上端部は、電柱の変圧器の架台等の所定の箇所に接続される。
【００４９】
このアース線Ｌの地中アンカＡ４  への取付けは、地中アンカＡ４  の上端部に設けられている支線棒５０を取付けるためのアイ部ａ４  を中間にして一対のアルミニウム（アルミニウム合金を含む。）製の端子を用いて行われる。これら端子のうちの一方の端子には、ビスの螺合されるねじ孔を有し、他方の端子には、ビスの軸部（ねじ部）が貫通することのできる孔を有している。そして、これら端子をビスで固定する際にアース線Ｌの端部に設けられているリング部をビスに挿入して行われる。これにより、アース線Ｌが地中アンカＡ４  に取り付けられる。このように、アース線Ｌがアルミニウム製の端子を介して地中アンカＡ４  に取り付けられると、これら端子は、鋳鉄製の地中アンカＡ４  よりも卑な金属であるので、地中アンカＡ４  の腐食を効果的に防止できる特長がある。
【００５０】
上記構成の地中アンカＡ４  の埋設方法を図１０を用いて説明する。先ず、地中アンカＡ４  の埋設する地面Ｇに所定深さの平面状が四角形の穴Ｈが建柱車のオーガあるいは手掘りにより掘られる。この穴Ｈは、作業員が穴Ｈへの出入りを容易にするために段状に形成される。そして、その掘られた穴Ｈに地中アンカＡ４  が埋設される。
【００５１】
この地中アンカＡ４  の埋設は、地中アンカＡ４  の角柱部ａ３  に設けられているアイ部に支線棒５０を接続し、その支線棒５０をパイプ材からなる補助工具Ｍ１  の内部に収納しながらその補助工具Ｍ１  を角柱部ａ３  に嵌め、さらに、その補助工具Ｍ１  にパイプ材からなる補助工具Ｍ２  を継ぎ足し、その補助工具Ｍ２  は、図示しない穴掘建柱車の回転部Ｍ０  に接続される。そして、その回転部Ｍ０  で地中アンカＡ４  を押圧させながら回転すると、地中アンカＡ４  は地面Ｇ内に埋設される。そして、地中アンカＡ４  が所定深さに埋設された後、両補助工具Ｍ１  ，Ｍ２  が外されると、地上には支線棒５０の先端部が現れる。次いで、その支線棒５０の先端に設けられているアイ部５０ａに上述した玉ガイシ５２、第１のリング部材５３ａ及び第２のリング部材５３ｂを介して支線５１が取付けられる。その後、穴Ｈの部分は埋め戻される。また、必要に応じて地中アンカＡ４  の周囲にコークス（抵抗低減骨材）Ｃを埋設するときは、地中アンカＡ４  により下穴をあけたのち、その下穴にコークスＣを投入し、そのコークスＣ中に地中アンカＡ４  が埋設される。
【００５２】
なお、上述の例では、玉ガイシ５２を支線棒５０と支線５１との接続箇所に設けたが、地中Ｇにおける支線５１の途中でもよく、又は地中Ｇ中における支線棒５０の途中であってもよい。
【００５３】
【発明の効果】
本発明の請求項１に記載のアース装置は、電柱の支線用の地中アンカ又は電柱を支持する地中アンカをアース部材とするアース装置において、その地中アンカの周囲に電気抵抗を低減する抵抗低減骨材を設けたので、地中アンカをアース部材とすることができるので、従来のようなアース用電極棒が不要となり、また、アース工事と接地工事とを一緒に行うことができる特長があるとともに、接地抵抗の低いアース装置とすることができる。
本発明の請求項２に記載のアース装置は、抵抗低減骨材は、コークスであるので、安価な骨材を用いて接地抵抗を低下させることができる。
本発明の請求項３に記載のアース装置は、電柱の支線用の地中アンカをアース部材とするアース装置において、その支線用の地中アンカの他に接地抵抗を低減するための補助地中アンカを設けたので、所定の接地抵抗値を容易に得ることができる。
本発明の請求項４に記載のアース装置は、アース部材のアース線は、地中アンカの上部に接続されるので、アース線の接続を容易にすることができる。
本発明の請求項５に記載のアース装置は、電柱の支線用の地中アンカをアース部材とするアース装置において、その地中アンカに接続される支線又はその地中アンカとその支線との間に接続される支線棒の地中における所定の途中の箇所に、電気絶縁を図るための絶縁物を介在させたので、支線の絶縁を半永久的に確保することができる。
本発明の請求項６に記載のアース装置は、絶縁物は、玉ガイシであるので、より簡単に絶縁を図ることができる。
【図面の簡単な説明】
【図１】本発明の一実施の形態に係るアース装置の概略構成図である。
【図２】地中アンカへのアース線の取付けの詳細図である。
【図３】Ｎ値及び接地抵抗の測定方法を示した説明図である。
【図４】接地抵抗及びＮ値の測定結果を示すグラフである。
【図５】本発明の他の実施の形態に係るアース装置の概略構成図である。
【図６】本発明のさらに他の実施の形態に係るアース装置の概略構成図である。
【図７】補助地中アンカの施工例を示す斜視図である。
【図８】本発明の他の実施の形態に係るアース装置の概略構成図である。
【図９】玉ガイシ部分の詳細図である。
【図１０】地中アンカの施工方法を示す説明図である。
【符号の説明】
３０  筒状体
４０  ねじ部材
４１  パイプ材
５２  玉がいし
イ  電柱
ロ，５０  支線棒
ハ，５１  支線
Ｌ  アース線
Ａ１  ，Ａ２  ，Ａ４    地中アンカ
Ａ３    補助地中アンカ
Ｇ  地中（地盤）
Ｃ  コークス（抵抗低減骨材）
【図１】
2004235131.tif 000003
【図２】
2004235131.tif 000004
【図３】
2004235131.tif 000005
【図４】
2004235131.tif 000006
【図５】
2004235131.tif 000007
【図６】
2004235131.tif 000008
【図７】
2004235131.tif 000009
【図８】
2004235131.tif 000010
【図９】
2004235131.tif 000011
【図１０】
2004235131.tif 000012